(57)【特許請求の範囲】
【請求項１】
吐水される吐水口、この吐水口を開閉するとともに吐水量の多少を調整する機能部、および、この機能部を操作する操作部からなり、さらに、上記機能部に対して、上記吐水口と上記操作部との少なくとも一方を同機能部と接続手段を介して接続され、着脱自在となしたものであり、上記機能部の表面側には、同表面と略面一状に上記操作部を収納することができるコネクター付きの収納部が凹設されていることを特徴とする自動カラン構造。
【発明の詳細な説明】
【０００１】
【発明の属する技術分野】
本発明は、自動カラン構造に関し、具体的には、浴室などに設置されるのに有用な自動カラン構造に関する。
【０００２】
【従来の技術】
従来の自動カラン構造としては、例えば、図３に示すごとく、吐水される吐水口（１）、この吐水口（１）を開閉するとともに吐水量の多少を調整する電磁弁などが収納され、かつ、本体部分を構成している機能部（２）、および、この機能部（２）の表面に取り付けられて、同機能部（２）を操作する操作部（３）からなっていたものであり、上記吐水口（１）と機能部（２）と操作部（３）とが完全に一体に形成されていたものであり、浴室などの壁面（４）に取り付けられていたものであった。
【０００３】
【発明が解決しようとする課題】
しかしながら、このような自動カラン構造においては、使用者が操作しやすい位置に設置しようとすると、操作部（３）の位置を壁面（４）のどこにするかを主として考えて設置することで、操作は使用者にとって行いやすいものとなり、使い勝手としては良くなるものの、上記吐水口（１）と機能部（２）と操作部（３）とが完全に一体に形成されているために、本体部分を構成している機能部（２）が壁面（４）から突出したような恰好で取り付けられるものとなり、すっきりした外観が得られず、外観上での見栄えとしては良いものではなかった。
【０００４】
本発明は、上述の事実に鑑みてなされたものであって、その目的とするところは、使い勝手が良いものでありながら、外観上での見栄えを良くすることができる自動カラン構造を提供することにある。
【０００５】
【課題を解決するための手段】
本発明の請求項１に係る自動カラン構造は、吐水される吐水口（１）、この吐水口（１）を開閉するとともに吐水量の多少を調整する機能部（２）、および、この機能部（２）を操作する操作部（３）からなり、さらに、上記機能部（２）に対して、上記吐水口（１）と上記操作部（３）との少なくとも一方を同機能部（２）と接続手段（１２）を介して接続され、着脱自在となしたことを特徴とする。
【０００６】
更に、本発明の請求項１に係る自動カラン構造は、上記機能部（２）の表面側には、同表面と略面一状に上記操作部（３）を収納することができるコネクター（７）付きの収納部（６）が凹設されていることを特徴とする。
【０００７】
【発明の実施の形態】
以下、本発明を実施形態に係る図面に基いて詳しく説明する。
【０００８】
図１は、本発明の一実施形態に係る自動カラン構造を示した斜視図である。図２は、本発明の一実施形態に係る自動カラン構造を示した分解斜視図である。
【０００９】
本発明の自動カラン構造は、図１および図２に示すごとく、吐水される吐水口（１）、この吐水口（１）を開閉するとともに吐水量の多少を調整する機能部（２）、および、この機能部（２）を操作する操作部（３）からなり、さらに、上記機能部（２）に対して、上記吐水口（１）と上記操作部（３）との少なくとも一方を同機能部（２）と接続手段（１２）を介して接続され、着脱自在となしているものである。
【００１０】
上記吐水口（１）は、図１および図２に示すごとく、吐水されるところである。この吐水口（１）からは、湯が吐水されてもかまわないし、水が吐水されてもかまわないものであり、さらに、吐水される水温は、自由自在に調整することができるものであってもかまわないものである。
【００１１】
上記機能部（２）は、上記吐水口（１）を開閉するとともに吐水量の多少を調整するものである。この機能部（２）としては、例えば、電磁弁などのユニットが含まれているものである。すなわち、この機能部（２）によって、吐水口（１）から出る水を止めたり、吐水させ続けたりすることができるとともに、吐水口（１）から出る水の量を多くしたり、少なくしたりなどの調整も行うことができるものである。また、図１および図２に示すごとく、この機能部（２）としては、いわゆる、本発明の自動カラン構造の本体部分を構成しているものであり、同機能部（２）が本発明の自動カラン構造の外郭をなしているものである。
【００１２】
上記操作部（３）は、上記機能部（２）を操作するものである。すなわち、この操作部（３）を使用者が触れることによって、使用者としては、機能部（２）に所望の操作をさせることができるものである。例えば、吐水口（１）から出る水を止めたり、吐水させ続けたりするといったことや、吐水口（１）から出る水の量を多くしたり、少なくしたりなどの調整や、さらには、吐水される水温などの調整を行うことができるものである。
【００１３】
本発明は、図１および図２に示すごとく、上記機能部（２）に対して、上記吐水口（１）と上記操作部（３）との少なくとも一方を同機能部（２）と接続手段（１２）を介して接続され、着脱自在となしているものである。すなわち、上記機能部（２）に対して、上記吐水口（１）だけが同機能部（２）と接続手段（１２）を介して接続され、着脱自在となしているものであってもかまわないし、上記機能部（２）に対して、上記操作部（３）だけが同機能部（２）と接続手段（１２）を介して接続され、着脱自在となしているものであってもかまわないし、さらには、上記機能部（２）に対して、上記吐水口（１）と上記操作部（３）との両方が、同機能部（２）と接続手段（１２）を介して接続され、着脱自在となしているものであってもかまわないものである。
【００１４】
上記接続手段（１２）としては、例えば、図２に示すごとく、上記機能部（２）に対して、上記操作部（３）を着脱自在となしている場合であると、機能部（２）と操作部（３）とにコネクター（７）をそれぞれ形成して、このコネクター（７）にそれぞれ接続ケーブル（５）が差し込まれることで同機能部（２）と同操作部（３）とが接続されるものである。
【００１５】
また、上記機能部（２）に対して、上記吐水口（１）を着脱自在となしている場合であると、図２に示すごとく、機能部（２）と吐水口（１）とが接続ホース（９）で接続されるものであり、この接続ホース（９）を差し込むのに、同機能部（２）には、機能部側差込口（８）が形成されているとともに、同吐水口（１）には、吐水口側差込口（１１）が形成されているものである。
【００１６】
本発明は、このような構成をとることによって、機能部（２）に対して、吐水口（１）と操作部（３）との少なくとも一方を同機能部（２）と接続手段（１２）を介して接続され、着脱自在であり、吐水口（１）と機能部（２）と操作部（３）とをそれぞれ別々に所望の位置に設けたりすることができ、使い勝手が良いものでありながら、外観上での見栄えを良くすることができるとともに、機能部（２）と吐水口（１）とを一体に形成したい場合や機能部（２）と操作部（３）とを一体に形成したい場合といったようなことにも対応することができるために、使い勝手がより一層良いものとなっている。
【００１７】
すなわち、本発明は、使い勝手が良いものでありながら、外観上での見栄えを良くすることができるものである。
【００１８】
具体的には、図１に示すごとく、機能部（２）に対して、吐水口（１）と操作部（３）との少なくとも一方を同機能部（２）と接続手段（１２）を介して接続され、着脱自在であるために、吐水口（１）が浴室などの壁面（４）の所望の位置に単独で取り付けられ、操作部（３）としても、使用者が操作を行いやすいように同壁面（４）の所望の位置に単独で取り付けられるとともに、機能部（２）のように使用者にとって特に不要な部材が同壁面（４）の裏側や床下などに隠して取り付けられるものとなり、本体部分を構成している機能部（２）が壁面（４）から突出したような恰好で取り付けられることもなくなり、すっきりした外観が得られ、外観上での見栄えとしては良いものとなる。そして、同機能部（２）としては、点検の際などに見やすいように点検口付近に取り付けるなどといった工夫も本発明の場合であると、簡単に対応することができるものである。
【００１９】
また、壁面（４）の形態によって、機能部（２）が壁面（４）の一部のように形成することができる場合であると、上述のごとく、機能部（２）と吐水口（１）とを一体に形成したり、機能部（２）と操作部（３）とを一体に形成したりなどすることができるものである。
【００２０】
特に、図２に示すごとく、上記機能部（２）の表面側には、同表面と略面一状に上記操作部（３）を収納することができるコネクター（７）付きの収納部（６）が凹設されているものであると、機能部（２）と操作部（３）とを一体に形成したい場合、凹設された収納部（６）に操作部（３）を収納するだけで、同収納部（６）のコネクター（７）にて機能部（２）と操作部（３）との電気的な接続が自ずと得られるとともに、機能部（２）の表面と操作部（３）の表面とが略面一状になり、機能部（２）と操作部（３）とをすっきりと一体化させることができるものであり、使い勝手が良いものでありながら、外観上での見栄えも確保することができるものである。
【００２１】
なお、上記機能部（２）と上記吐水口（１）とを一体に形成したい場合に対応することができるように、図２に示すごとく、同機能部（２）に接続口（１０）を設けていると、この接続口（１０）に吐水口（１）の先端を差し込んで取り付けることができるために好ましいものである。
【００２２】
本発明の自動カラン構造によると、図１および図２に示すごとく、吐水される吐水口（１）、この吐水口（１）を開閉するとともに吐水量の多少を調整する機能部（２）、および、この機能部（２）を操作する操作部（３）からなり、さらに、上記機能部（２）に対して、上記吐水口（１）と上記操作部（３）との少なくとも一方を同機能部（２）と接続手段（１２）を介して接続され、着脱自在となしたので、機能部（２）に対して、吐水口（１）と操作部（３）との少なくとも一方を同機能部（２）と接続手段（１２）を介して接続され、着脱自在であり、吐水口（１）と機能部（２）と操作部（３）とをそれぞれ別々に所望の位置に設けたりすることができ、使い勝手が良いものでありながら、外観上での見栄えを良くすることができるとともに、機能部（２）と吐水口（１）とを一体に形成したい場合や機能部（２）と操作部（３）とを一体に形成したい場合といったようなことにも対応することができるために、使い勝手がより一層良いものとなっている。
【００２３】
すなわち、本発明は、使い勝手が良いものでありながら、外観上での見栄えを良くすることができるものである。
【００２４】
【発明の効果】
本発明の請求項１に係る自動カラン構造によると、機能部（２）に対して、吐水口（１）と操作部（３）との少なくとも一方を同機能部（２）と接続手段（１２）を介して接続され、着脱自在であり、吐水口（１）と機能部（２）と操作部（３）とをそれぞれ別々に所望の位置に設けたりすることができ、使い勝手が良いものでありながら、外観上での見栄えを良くすることができるとともに、機能部（２）と吐水口（１）とを一体に形成したい場合や機能部（２）と操作部（３）とを一体に形成したい場合といったようなことにも対応することができるために、使い勝手がより一層良いものとなっている。
【００２５】
すなわち、本発明は、使い勝手が良いものでありながら、外観上での見栄えを良くすることができるものである。
【００２６】
更に、本発明の請求項１に係る自動カラン構造によると、上記に加えて、機能部（２）と操作部（３）とを一体に形成したい場合、凹設された収納部（６）に操作部（３）を収納するだけで、同収納部（６）のコネクター（７）にて機能部（２）と操作部（３）との電気的な接続が自ずと得られるとともに、機能部（２）の表面と操作部（３）の表面とが略面一状になり、機能部（２）と操作部（３）とをすっきりと一体化させることができるものであり、使い勝手が良いものでありながら、外観上での見栄えも確保することができるものである。
【図面の簡単な説明】
【図１】本発明の一実施形態に係る自動カラン構造を示した斜視図である。
【図２】本発明の一実施形態に係る自動カラン構造を示した分解斜視図である。
【図３】従来例に係る自動カラン構造を示した斜視図である。
【符号の説明】
１    吐水口
２    機能部
３    操作部
６    収納部
７    コネクター
１２  接続手段
【図１】
0003539178.tif 000002
【図２】
0003539178.tif 000003
【図３】
0003539178.tif 000004